(57)【要約】      （修正有）【課題】バットに嵌着可能な、重さを柔軟に調整することができる野球・ソフトボール用バットウエイトを提供する【解決手段】バットのバッティング端に嵌着するように軸穴２３が設けられるスリーブ２を備え、上記の軸穴２３に隣接する内穴壁２３１に、少なくとも１つのバランスウェイト３を対応して連結・位置決めするように、少なくとも１つの位置決め部が形成される野球・ソフトボール用バットウエイトである。これにより、バッターは自分の必要に応じてバランスウェイトの数を柔軟に増減することにより、バットの重さを調整することができ、バッティングのトレーニング效果を効率よく達成する。【選択図】図２
0003154966.tif 000002
【実用新案登録請求の範囲】
【請求項１】
バットのバッティング端に嵌着するように、軸穴が設けられ、少なくとも１つの位置決め部が上記の軸穴に隣接する内穴壁に形成されるスリーブと、
上記の位置決め部に対応して連結される少なくとも１つのバランスウェイトと
を備える野球・ソフトボール用バットウエイト。
【請求項２】
上記の位置決め部は、上記の軸穴に隣接する内穴壁に対称的に形成される
請求項１に記載の野球・ソフトボール用バットウエイト。
【請求項３】
上記の位置決め部は、軸方向に延びる長手の嵌め溝である
請求項１又は２に記載の野球・ソフトボール用バットウエイト。
【請求項４】
上記の位置決め部は、スリーブの一端から軸方向に延びて入り込まれ、且つ上記のスリーブの他端によって係止される長手の嵌め溝である
請求項３に記載の野球・ソフトボール用バットウエイト。
【請求項５】
上記の位置決め部は、円弧状を成す断面の長手の嵌め溝である
請求項３に記載の野球・ソフトボール用バットウエイト。
【請求項６】
上記のバランスウェイトは、長手であり、その断面が円弧状である
請求項５に記載の野球・ソフトボール用バットウエイト。
【考案の詳細な説明】
【技術分野】
【０００１】
本考案は、バットに嵌着可能な、重さを柔軟に調整することができる野球・ソフトボール用バットウエイトに関する。
【背景技術】
【０００２】
野球やソフトボールは、体を有効に鍛えるだけではなく、チームワークの精神を養成することもでき、年を問わずに誰でも参加可能な運動である。野球・ソフトボールの試合において、有効な守りのほか、バッターがうまくボールを十分に遠く打てるかどうかが得点のポイントになる。
【０００３】
従って、普段、ピッチングマシーンで動的なバッティング練習を行い、または、野球やソフトボールをバッティング練習台に置き、静的なバッティング練習を行うほかに、野球・ソフトボール用バットウエイトをバットのバッティング端に嵌着させることにより、バットの重さを増やし、バッターによるバットスウィングの力を強化させることができ、得点の確率が増加し、試合を優勝に導くことができる。しかし、現在の使用されている野球・ソフトボール用バットウエイトは、主に中空のスリーブであり、バットの重さを増やし、バッターによるバットスウィングの力を強化させることができるが、腕力の弱いバッターは、同じ重さのバットウエイトに対し、重すぎな感じをし、運動による傷害を増加させる恐れがあるし、腕力の強いバッターは、バッティングの力を有効に向上させにくいので、従来のバットウエイトは、異なる腕力のバッターに適用しない。
【０００４】
これを鑑みて上述した問題点を解決するために、バッターによって野球・ソフトボール用バットウエイトの重さを調整し、トレーニング効果を有効に達成させることができるように、本考案者は、長年に渡り、経験を積み、研究と改良を鋭意に取り組んで、本考案の完成に至った。
【考案の概要】
【考案が解決しようとする課題】
【０００５】
本考案は、主な目的として、バッターが必要に応じて、重さを調整することができる野球・ソフトボール用バットウエイトを提供する。
【０００６】
本考案は、他の目的として、バットスウィングの場合にバットと密接され、バットを使わなく置ける場合に重さを容易に調整することができる野球・ソフトボール用バットウエイトを提供する。
【課題を解決するための手段】
【０００７】
このような考案の目的を達成させるために、本考案に係る野球・ソフトボール用バットウエイトは、スリーブと、少なくとも１つのバランスウェイトとを備える。上記のスリーブには、バットのバッティング端に嵌着するように軸穴が設けられ、少なくとも１つの位置決め部が上記の軸穴に隣接する内穴壁に形成され、上記のバランスウェイトが上記の位置決め部を対応して連結する。
【０００８】
実施の場合、上記の位置決め部は、スリーブの一端から軸方向に延びて入り込まれ、且つスリーブの他端によって係止される長手の嵌め溝になる。
【０００９】
以下、さらに詳しい理解のため、本考案について詳細に説明する。
【考案の効果】
【００１０】
１、本考案によれば、バッターが必要に応じて、バランスウェイトの数を増減し、バッティングのトレーニング效果を有効に達成する。
【００１１】
２、本考案によるバランスウェイトは、スリーブの前端内部に係止されるので、バッターによるバットスウィングの場合、バランスウェイト、スリーブ及びバットを密接させ、バットを使わなく置ける場合、バランスウェイトをスリーブの後端から引き抜くことで、便利性と実用性が両立する。
【００１２】
本考案は、上述したように、バッターによって重さを調整し、トレーニング效果を有効に達成する野球・ソフトボール用バットウエイトを提供することがてき、そして、考案の所望の目的を確実に実現し、優れた実用性を持っているので、法に基づき実用新案特許出願を提出することになる。
【図面の簡単な説明】
【００１３】
【図１】本考案の実施形態の外観斜視図である。
【図２】本考案の実施形態の素子分解図である。
【図３】本考案の実施形態の断面図である。
【図４】本考案の実施形態のバットへの嵌着による組み合せの断面図である。
【考案を実施するための形態】
【００１４】
図１〜３に示すように、本考案に係る野球・ソフトボール用バットウエイト１の好ましい実施形態は、スリーブ２と、少なくとも１つのバランスウェイト３とを備えている。この実施形態において、上記のバランスウェイト３を３つとする。
【００１５】
上記のスリーブ２は、長筒状であり、プラスチック材から形成されているが、上記のスリーブ２はゴム材から形成されてもよく、又は、アルミニウムで押出成型により加工されてもよい。上記のスリーブは、前端面２１と、前端面２１に対する後端面２２と、上記の前、後端面（２１，２２）を貫通する円形の軸穴２３とを含み、上記の軸穴２３に隣接する内穴壁２３１に３つの対称な長手の嵌め溝が環設され、上記の長手嵌め溝が、位置決め部２４として、いずれもスリーブ２の後端面２２から軸方向に延びて入り込まれ、且つ軸穴２３と連通しているが、スリーブ２の前端面２１を貫通していない。つまり、上記の長手の嵌め溝は、いずれかの長さがスリーブ２の長さより短く、軸方向に延びて入り込んだ一端がスリーブ２の引っ掛かり面２５により係止され、そして、いずれかの断面が円弧状になる。実施の場合、上記の長手嵌め溝は１つでもよく、２つまたは複数でもよい。
【００１６】
上記のバランスウェイト３は、いずれも円弧状をなす断面の長手シートであり、プラスチック材から形成されているが、上記のバランスウェイト３はゴム製シート、鉄製シート、アルミニウム押出シート、又は、その他の固定形状を有する材質から形成されてもよい。いずれかの上記のバランスウェイト３は、スリーブ２の後端から挿入された後、いずれかの長手の嵌め溝に対応して嵌め込まれることができる。
【００１７】
これにより、スリーブ２がバット４のバッティング端４１に係止すると（図４のように）、上記の位置決め部２４は中空の位置決め空間を形成することになり、これで、バッターは自分の必要に応じて、各バランスウェイト３をスリーブ２の後端からそれぞれ各位置決め部２４に挿入し、バット４のバッティング端４１の重さを調整する。各バランスウェイト３が各位置決め部２４に插入されると、バッターのバットスウィングによる遠心力によって、各バランスウェイト３の前端をスリーブ２の引っ掛かり面２５に当接させ、各バランスウェイト３を各位置決め部２４内に密接させ、バット４を使わなく置ける場合、バランスウェイト３を容易に引き出したり挿し入れることができる。
【００１８】
実施の場合、上記の位置決め部２４は突出した長手のレールてもよく、上記のバランスウェイト３は、上記の長手レールに合わせる凹んだレールが設けられる。これにより、同様に、バット４のバッティング端４１の重さを調整するように、バッターによるバランスウェイト３の交換に寄与することができる。
【００１９】
以上、本考案の具体的な実施形態及び適用の技術手段を説明したが、本願の開示や教示によれば、多くの変更や修飾を派生導出することが可能であるが、本考案の構想に基づく等価な変更は、それによる効果がまだ本明細書及び図面に含まれた実質的な精神を超えていない場合、すべて本考案の技術的範囲に属するべきものである。
【符号の説明】
【００２０】
１      野球・ソフトボール用バットウエイト
２      スリーブ
２１    前端面
２２    後端面
２３    軸穴
２３１  内穴壁
２４    位置決め部
２５    引っ掛かり面
３      バランスウェイト
４      バット
４１    バッティング端
【図１】
0003154966.tif 000003
【図２】
0003154966.tif 000004
【図３】
0003154966.tif 000005
【図４】
0003154966.tif 000006